(57)【特許請求の範囲】
【請求項１】
ｍビット長の情報ビットと１ビット長の制御ビットから生成した（ｍ＋１）ｂ符号Ｃｉ  （ｉは自然数）を連続して通信し、制御ビットがＫ（Ｋは０もしくは１）であるとき、その符号が特殊符号であることを示し、制御ビットがＫ￣（Ｋが０の場合Ｋ￣は１であり、Ｋが１の場合Ｋ￣は０である）であるとき、その符号がデータ符号であることを示し、特殊符号は少くとも１個のＫ￣を含み、１個の特殊符号と、１個の特殊符号またはデータ符号とを組み合わせた、２ｍ＋２ビット長のビット列に含まれるＫが連続するビット列パターンのうち、最大のビット長がｓ（ｓは２ｍ＋２より小さい自然数）である、符号通信方法において、
送信装置が、（ｍ＋１）ｂ符号列を生成し、送信するとともに、ｐ個（ｐはｓより大きく、かつ、２ｍ＋２以下の自然数）の連続するＫとｑ個（ｑは自然数、ｐ＋ｑ≦２ｍ＋２）のＫ￣から構成される符号同期パターンを、少なくとも１回送信し、受信装置が、受信ビット列から符号同期パターンを検出し符号同期を行うことによって、受信ビット列を（ｍ＋１）ｂ符号列に変換することを特徴とする、符号通信方法。
【請求項２】
送信装置が、符号同期パターンを含み２ｍ＋２ビット長の固定ビット列パターンを有する符号同期符号セットを、符号同期符号セット挿入タイミングに応じて挿入することによって、符号同期符号セットを含む（ｍ＋１）ｂ符号列に変換して、これを送信し、受信装置が、受信ビット列から変換された、符号同期符号セットを含む（ｍ＋１）ｂ符号列から、符号同期符号セットを削除することによって、（ｍ＋１）ｂ符号列に変換することを特徴とする、請求項１記載の符号通信方法。
【請求項３】
固定ビット列パターンＰ１（ｐ１ビット長、ｐ１は０以上の整数）と、符号同期符号（ｍ＋１ビット長の固定ビット列パターンを有する）と、固定ビット列パターンＰ２（ｐ２ビット長、ｐ２は０以上の整数）を順に配列したｐ１＋ｐ２＋ｍ＋１ビット長のビット列パターンが符号同期パターンに一致し、送信装置が、符号Ｃｉ  の最後からｐ１個のビット列パターンがＰ１であり、かつ、符号Ｃｉ＋１  の先頭からｐ２個のビット列パターンがＰ２であり、かつ、符号同期符号挿入イネーブルであるとき、符号Ｃｉ  と符号Ｃｉ＋１  との間に、符号同期符号セットを挿入することによって、符号同期符号を含む（ｍ＋１）ｂ符号列に変換して、これを送信し、受信装置が、受信ビット列から変換された、符号同期符号セットを含む（ｍ＋１）ｂ符号列から、符号同期符号を削除することによって、（ｍ＋１）ｂ符号列に変換することを特徴とする、請求項１記載の符号通信方法。
【請求項４】
送信装置が、（ｍ＋１）ｂ符号列に含まれる２個の連続する符号Ｃｉ  と符号Ｃｉ＋１  の、２ｍ＋２ビット長のビット列パターンが、固定ビット列パターンＰ３（２ｍ＋２ビット長）であるとき、符号Ｃｉ  と符号Ｃｉ＋１  を、符号同期パターンを含み２ｍ＋２ビット長の固定ビット列パターンを有する符号同期符号セットに置換することによって、符号同期符号を含む（ｍ＋１）ｂ符号列に変換して、これを送信し、受信装置が、受信ビット列から変換された、符号同期符号セットを含む（ｍ＋１）ｂ符号列から、符号同期符号セットを固定ビット列パターンＰ３に置換することによって、（ｍ＋１）ｂ符号列に変換することを特徴とする、請求項１記載の符号通信方法。
【請求項５】
固定ビット列パターンＰ１（ｐ１ビット長、ｐ１は０以上の整数）と、符号同期符号（ｍ＋１ビット長の固定ビット列パターンを有する）と、固定ビット列パターンＰ２（ｐ２ビット長、ｐ２は０以上の整数）を順に配列したｐ１＋ｐ２＋ｍ＋１ビット長のビット列パターンが符号同期パターンに一致し、送信装置が、符号Ｃｉ  の最後からｐ１個のビット列パターンがＰ１であり、かつ、続く符号Ｃｉ＋１  が、固定ビット列パターンＰ４（ｍ＋１ビット長）に一致する特殊符号Ｓであり、かつ、続く符号Ｃｉ＋１  の先頭からｐ２個のビット列パターンがＰ２であるとき、符号Ｃｉ＋１  を符号同期符号に置換することによって、符号同期符号を含む（ｍ＋１）ｂ符号列に変換して、これを送信し、受信装置が、受信ビット列から変換された、符号同期符号セットを含む（ｍ＋１）ｂ符号列から、符号同期符号セットを固定ビット列パターンＰ４に置換することによって、（ｍ＋１）ｂ符号列に変換することを特徴とする、請求項１記載の符号通信方法。
【請求項６】
送信装置が、ｍビット長の情報ビットと１ビット長の制御ビットについて、制御ビットの位置を、（ｍ＋１）ｂ符号のｔビットめ（ｔは２以上ｍ−１以下の自然数）とし、（ｍ＋１）ｂ符号が特殊符号のとき、制御ビットの位置より前のｔ−１個のビットのなかにＫ￣を含み、かつ、制御ビットの位置より後のｍ＋１−ｔ個のビットのなかにＫ￣を含むように、ｍビットの情報ビットと１ビットの制御ビットに対して、ビット順番の交換とビット反転とを含む、（ｍ＋１）ｂ符号化処理を施すことによって、（ｍ＋１）ｂ符号列を生成し、受信装置が、受信信号から変換された（ｍ＋１）ｂ符号列に対して、（ｍ＋１）ｂ符号化処理の逆処理を施すことによって、各（ｍ＋１）ｂ符号を、ｍビット長の情報ビットと１ビット長の制御ビットに変換することを特徴とする、請求項１記載の符号通信方法。
【請求項７】
ｍビット長の情報ビットと１ビット長の制御ビットから生成した（ｍ＋１）ｂ符号Ｃｉ  （ｉは自然数）を連続して通信し、制御ビットがＫ（Ｋは０もしくは１）であるとき、その符号が特殊符号であることを示し、制御ビットがＫ￣（Ｋが０の場合Ｋ￣は１であり、Ｋが１の場合Ｋ￣は０である）であるとき、その符号がデータ符号であることを示し、特殊符号は少くとも１個のＫ￣を含み、１個の特殊符号と、１個の特殊符号またはデータ符号とを組み合わせた、２ｍ＋２ビット長のビット列に含まれるＫが連続するビット列パターンのうち、最大のビット長がｓ（ｓは２ｍ＋２より小さい自然数）である、符号通信装置において、
（ｍ＋１）ｂ符号列を生成し、送信するとともに、ｐ個（ｐはｓより大きく、かつ、２ｍ＋２以下の自然数）の連続するＫとｑ個（ｑは自然数、ｐ＋ｑ≦２ｍ＋２）のＫ￣から構成される符号同期パターンを、少なくとも１回送信する送信装置と、
受信ビット列から符号同期パターンを検出し符号同期を行うことによって、受信ビット列を（ｍ＋１）ｂ符号列に変換する受信装置と
を具備することを特徴とする、符号通信装置。
【請求項８】
送信装置が、符号同期パターンを含み２ｍ＋２ビット長の固定ビット列パターンを有する符号同期符号セットを、符号同期符号セット挿入タイミングに応じて挿入することによって、符号同期符号セットを含む（ｍ＋１）ｂ符号列に変換して、これを送信し、受信装置が、受信ビット列から変換された、符号同期符号セットを含む（ｍ＋１）ｂ符号列から、符号同期符号セットを削除することによって、（ｍ＋１）ｂ符号列に変換することを特徴とする、請求項７記載の符号通信装置。
【請求項９】
固定ビット列パターンＰ１（ｐ１ビット長、ｐ１は０以上の整数）と、符号同期符号（ｍ＋１ビット長の固定ビット列パターンを有する）と、固定ビット列パターンＰ２（ｐ２ビット長、ｐ２は０以上の整数）を順に配列したｐ１＋ｐ２＋ｍ＋１ビット長のビット列パターンが符号同期パターンに一致し、送信装置が、符号Ｃｉ  の最後からｐ１個のビット列パターンがＰ１であり、かつ、符号Ｃｉ＋１  の先頭からｐ２個のビット列パターンがＰ２であり、かつ、符号同期符号挿入イネーブルであるとき、符号Ｃｉ  と符号Ｃｉ＋１  との間に、符号同期符号セットを挿入することによって、符号同期符号を含む（ｍ＋１）ｂ符号列に変換して、これを送信し、受信装置が、受信ビット列から変換された、符号同期符号セットを含む（ｍ＋１）ｂ符号列から、符号同期符号を削除することによって、（ｍ＋１）ｂ符号列に変換することを特徴とする、請求項７記載の符号通信装置。
【請求項１０】
送信装置が、（ｍ＋１）ｂ符号列に含まれる２個の連続する符号Ｃｉ  と符号Ｃｉ＋１  の、２ｍ＋２ビット長のビット列パターンが、固定ビット列パターンＰ３（２ｍ＋２ビット長）であるとき、符号Ｃｉ  と符号Ｃｉ＋１  を、符号同期パターンを含み２ｍ＋２ビット長の固定ビット列パターンを有する符号同期符号セットに置換することによって、符号同期符号を含む（ｍ＋１）ｂ符号列に変換して、これを送信し、受信装置が、受信ビット列から変換された、符号同期符号セットを含む（ｍ＋１）ｂ符号列から、符号同期符号セットを固定ビット列パターンＰ３に置換することによって、（ｍ＋１）ｂ符号列に変換することを特徴とする、請求項７記載の符号通信装置。
【請求項１１】
固定ビット列パターンＰ１（ｐ１ビット長、ｐ１は０以上の整数）と、符号同期符号（ｍ＋１ビット長の固定ビット列パターンを有する）と、固定ビット列パターンＰ２（ｐ２ビット長、ｐ２は０以上の整数）を順に配列したｐ１＋ｐ２＋ｍ＋１ビット長のビット列パターンが符号同期パターンに一致し、送信装置が、符号Ｃｉ  の最後からｐ１個のビット列パターンがＰ１であり、かつ、続く符号Ｃｉ＋１  が、固定ビット列パターンＰ４（ｍ＋１ビット長）に一致する特殊符号Ｓであり、かつ、続く符号Ｃｉ＋１  の先頭からｐ２個のビット列パターンがＰ２であるとき、符号Ｃｉ＋１  を符号同期符号に置換することによって、符号同期符号を含む（ｍ＋１）ｂ符号列に変換して、これを送信し、受信装置が、受信ビット列から変換された、符号同期符号セットを含む（ｍ＋１）ｂ符号列から、符号同期符号セットを固定ビット列パターンＰ４に置換することによって、（ｍ＋１）ｂ符号列に変換することを特徴とする、請求項７記載の符号通信装置。
【請求項１２】
送信装置が、ｍビット長の情報ビットと１ビット長の制御ビットについて、制御ビットの位置を、（ｍ＋１）ｂ符号のｔビットめ（ｔは２以上ｍ−１以下の自然数）とし、（ｍ＋１）ｂ符号が特殊符号のとき、制御ビットの位置より前のｔ−１個のビットのなかにＫ￣を含み、かつ、制御ビットの位置より後のｍ＋１−ｔ個のビットのなかにＫ￣を含むように、ｍビットの情報ビットと１ビットの制御ビットに対して、ビット順番の交換とビット反転とを含む、（ｍ＋１）ｂ符号化処理を施すことによって、（ｍ＋１）ｂ符号列を生成し、受信装置が、受信信号から変換された（ｍ＋１）ｂ符号列に対して、（ｍ＋１）ｂ符号化処理の逆処理を施すことによって、各（ｍ＋１）ｂ符号を、ｍビット長の情報ビットと１ビット長の制御ビットに変換することを特徴とする、請求項７記載の符号通信装置。
【発明の詳細な説明】
【０００１】
【発明の属する技術分野】
本発明は、ｍｂ／ｎｂ符号化された信号を効率的に通信するために使用される。特に、符号同期を行うための符号同期パターンが含まれていることが必要であり、低周波成分の抑制を要求されないときに、ｎビット長の符号をｍ＋１ビット長（ｎ＞ｍ＋１）の符号に変換して通信することによって情報伝送効率を向上させる、符号通信方法及び通信装置に関する。
【０００２】
【従来の技術】
以下は、従来の技術による符号通信方式を適用した通信システムの例である。この通信システムは、８ｂ／１０ｂ符号（特許２５４９１９６号、特開昭５９−１００５６号公報、を参照のこと）を採用するギガビットイーサネット信号を既存のＳＤＨ（Ｓｙｎｃｈｒｏｎｏｕｓ  Ｄｉｇｉｔａｌ  Ｈｉｅｒａｒｃｈｙ）ネットワークを介して通信することによって、ギガビットイーサネット信号の長距離伝送を可能とする。
【０００３】
符号通信ノードＡは、ギガビットイーサネット装置Ｘから送信された１．２５Ｇｂｐｓのギガビットイーサネット信号を、２．４８８３２ＧｂｐｓのＳＤＨ信号に変換し、ＳＤＨネットワークを介して、符号通信ノードＢへ送信する。符号通信ノードＢは、受信した２．４８８３２ＧｂｐｓのＳＤＨ信号を１．２５Ｇｂｐｓのギガビットイーサネット信号に戻し、ギガビットイーサネット装置Ｙへ送信する。また、符号通信ノードＢは、ギガビットイーサネット装置Ｙから送信されたギガビットイーサネット信号を、２．４８８３２ＧｂｐｓのＳＤＨに変換し、符号通信ノードＡに送信する。符号通信ノードＡは受信したＳＤＨ信号を、ギガビットイーサネット信号に戻し、ギガビットイーサネット装置Ｘへ送信する。
【０００４】
このように、２．４８８３２ＧｂｐｓのＳＤＨ信号に変換可能な元の信号のビットレートは最大２．３９６１６Ｇｂｐｓであるため、２．４８８３２ＧｂｐｓのＳＤＨ信号に変換可能な１．２５Ｇｂｐｓのギガビットイーサネット信号は、１本のみであった。
【０００５】
【発明が解決しようとする課題】
したがって、従来の技術による符号通信方式を適用した符号通信システムでは、２．４８８３２ＧｂｐｓのＳＤＨ信号の使用可能な帯域のうち、１．１４６１６Ｇｂｐｓの帯域が使用されず、極めて情報伝送効率の悪い方式となっていた。
【０００６】
以下、従来技術の問題点を具体例について説明する。
【０００７】
図２４は従来のギガビットイーサネット（ＧｂＥ）信号をＷＡＮ（例：ＳＤＨネットワーク）を介して通信する構成説明図である。
【０００８】
すなわち、送信装置１１のＧｂＥ送信部１２からの１０ｂ（ビット）符号（１．２５Ｇｂｐｓ）はＳＤＨ変換部１３でＳＤＨフレーム信号（２．４８８３２Ｇｂｐｓ＝０．０９２１６Ｇｂｐｓ（ＯｖｅｒＨｅａｄ）＋１．２５Ｇｂｐｓ（ＧｂＥ）＋未使用１．１４６１６Ｇｂｐｓ）に変換され、ＷＡＮ（ＳＤＨネットワーク）１４を介して受信装置１５に送信される。受信装置１５のＳＤＨ変換部１６ではＳＤＨフレーム信号を１０ｂ符号に変換してＧｂＥ受信部１７に出力する。
【０００９】
しかしながら、２．４８８３２ＧｂｐｓのＳＤＨフレーム信号に、ＧｂＥを１本しか載せられない（２本載せるには帯域が足りないため）。したがって、１．１４６１６Ｇｂｐｓの帯域が使われないため、極めて効率が悪い。
【００１０】
図２５は従来の改良案の構成説明図である。すなわち、送信装置２１の２つのＧｂＥ送信部２２，２３から９ｂ（１．１Ｇｂｐｓ）符号をＳＤＨ変換部２４でＳＤＨ信号のビット列（２．４８８３２Ｇｂｐｓ＝０．０９２１６Ｇｂｐｓ（ＯｖｅｒＨｅａｄ）＋１．１Ｇｂｐｓ（ＧｂＥ）＋未使用０．１９６１６Ｇｂｐｓ）に変換され、ＷＡＮ（ＳＤＨネットワーク）２５を介して受信装置２６に送信される。受信装置２６のＳＤＨ変換部２７ではＳＤＨ信号のビット列を２つの９ｂ（１．１Ｇｂｐｓ）符号に変換して２つのＧｂＥ受信部２８，２９に出力する。このように、８ｂ／１０ｂ符号化されたＧｂＥ信号（１０ｂ符号）を、そのままＳＤＨ信号に載せるのではなく、８ｂ／１０ｂ符号化前の信号（９ｂ符号）を載せる。この場合、ＧｂＥの帯域が、１．２５Ｇｂｐｓから１．１Ｇｂｐｓに減る。そのため、２．４８８３２ＧｂｐｓのＳＤＨ信号に、２本のＧｂＥ信号を載せることができる。
【００１１】
しかし、ＬＡＮにおける８ｂ／１０ｂ符号化の利点は以下の３点であり、
▲１▼  ０，１の出現頻度が均衡する
▲２▼  ０／１が長く連続しない（ＤＣフリー）
▲３▼  コンマがある（コンマを検出してビット列を符号に区切る符号同期が可能）
ＳＨＤフレームでスクランブルを行うため、▲１▼と▲２▼は不要であるが、ビット列としてＧｂＥ信号をＳＨＤフレームに載せるとき、▲３▼は必要であり、先の従来の改良案では、不十分であり、９ｂ符号に、符号同期を行うための工夫が必要になる。
【００１２】
本発明は上記の事情に鑑みてなされたもので、その目的は、ギガビットイーサネット信号のようにｍｂ／ｎｂ符号化された信号を、ＳＤＨネットワークのようにｍｂ／ｎｂ符号列をシリアルで伝送する方式とは異なる伝送形式を用いたネットワークを介して、効率的に通信するための、符号通信方法及び通信装置を提供することにある。
【００１３】
【課題を解決するための手段】
各符号がｎビット長のｍｂ／ｎｂ符号列をそのままビット列として、ビット列を通信するための通信手段を介して、通信するのではなく、各符号がｍ＋１ビット長（ｎ＞ｍ＋１）の（ｍ＋１）ｂ符号に変換した後に通信する。（ｍ＋１）ｂ符号は、ｍｂ／ｎｂ符号化する前の信号である。ｍビット長の情報ビットと１ビット長の制御ビットから構成される。なお、制御ビットがＫ（Ｋは０もしくは１）であるとき、その符号が特殊符号であることを示し、制御ビットがＫ￣（Ｋ￣はＫが０のとき１、Ｋが１のとき０）であるとき、その符号がデータ符号であることを示す。また、特殊符号の種類は２ｍ  −１以下であることとする。
【００１４】
受信側ではビット列として受信された信号から、ｐ個（ｐはｍ＋１以上の自然数）の連続するＫとｑ個（ｑは自然数）のＫ￣を含む符号同期パターンを検出する。この検出タイミングを利用して、符号同期を行う。ただし、１個の特殊符号と１個の（ｍ＋１）ｂ符号とを組み合わせてできた２ｍ＋２ビットのパターンに含まれる、Ｋが連続するパターンの最大のビット数をｓとするとき、ｐがｓよりも大きいこととする。
【００１５】
送信側では、符号同期パターンを含む信号を送信するために、ｐ個の連続するＫを含む符号同期符号セットを、（ｍ＋１）ｂ符号Ｃｉ  と次の符号Ｃｉ＋１  との間に挿入する。受信側では、符号同期を行った後に、送信側で挿入した符号同期符号セットを削除する。なお、符号同期符号セットは、（ｍ＋１）×ｒ（ｒは１もしくは２）個のビットである。ｒが１のときは、符号Ｃｉ  と符号Ｃｉ＋１  について、符号Ｃｉ  の最後のｐ１個のビットと符号同期符号セットと符号Ｃｉ＋１  の最初のｐ２個のビットとを配列したビットパターンが、符号同期パターンに一致する場合に限り、符号同期符号セットを挿入する。
【００１６】
符号同期パターンを含む信号を送信するために符号同期符号セットを挿入する方式のほかに、送信側で特定の特殊符号Ｓを符号同期符号セットに置換することによって、符号同期パターンを含む信号を送信する方式も可能である。受信側では、符号同期を行った後に、符号同期符号セットを特殊符号Ｓに戻す。符号同期符号セットは、（ｍ＋１）×ｒ（ｒは１もしくは２）個のビットである。ｒが１のときは、特殊符号Ｓの直前の符号Ｃｉ  と直後の符号Ｃｉ＋２  について、符号Ｃｉ  の最後のｐ１個のビットと符号同期符号セットと符号Ｃｉ＋２  の最初のｐ２個のビットとを配列したビットパターンが、符号同期パターンに一致する場合に限り、特殊符号Ｓを符号同期符号セットに置換する。
【００１７】
符号同期パターンを短くするために、ｍビットの情報ビットと１ビットの制御ビットに対して、ビット順番の交換とビット反転とを含む、（ｍ＋１）ｂ符号化処理を施す。とくに、制御ビットの位置を、（ｍ＋１）ｂ符号のｔビットめ（ｔは２以上ｍ−１以下の自然数）とする。この場合、（ｍ＋１）ｂ符号が特殊符号のときは、制御ビットの位置より前のｔ−１個のビットのなかにＫ￣を含むとともに、制御ビットの位置より後のｍ＋１−ｔ個のビットのなかにＫ￣を含むように、（ｍ＋１）ｂ符号化処理を施す。
【００１８】
本発明の符号通信方式を適用した通信システムでは、各符号がｎビット長のｍｂ／ｎｂ符号列をそのままビット列として通信するのではなく、各符号がｍ＋１ビット長（ｎ＞ｍ＋１）の（ｍ＋１）ｂ符号に変換した後に通信するため、必要とされる伝送帯域を低減することが可能である。たとえば、８ｂ／１０ｂ符号を用いるギガビットイーサネット信号を通信するために、従来の技術を適用した符号通信システムでは１．２５Ｇｂｐｓの帯域を必要としていたのが、本発明の適用によって９ｂ符号に変換して通信するため必要な帯域は１．１Ｇｂｐｓに低減される。したがって、２．４８８３２ＧｂｐｓのＳＤＨ信号に変換しＳＤＨネットワークを介してこれを通信する場合、従来の技術では１本のギガビットイーサネット信号しか伝送できなかったが、本発明の適用によって、２本のギガビットイーサネット信号を多重化して通信することが可能となり、情報伝送効率を大幅に向上させることができる。
【００１９】
なお、本発明の（ｍ＋１）ｂ符号では、ｍｂ／ｎｂ符号と異なり、０または１が一定個数以上連続しない特徴と、０と１の個数が均衡する特徴を、備えていない。しかし、符号化された信号を例えばＳＤＨ信号に変換して通信するような場合、すなわち、実際の伝送で別の信号形式が用いられる場合には、伝送信号形式が上記の特徴を備えているため、問題とならない。また、特殊符号を伝送可能であるという特徴と、符号同期が可能であるという特徴については、ｍｂ／ｎｂ符号と同様、本発明を適用することによって実現される。
【００２０】
本発明の（ｍ＋１）ｂ符号は、ｍｂ／ｎｂ符号化する前の信号である、ｍビット長の情報ビットと１ビット長の制御ビットから構成されるため、受信側で（ｍ＋１）ｂ符号からｍｂ／ｎｂ符号を容易に再生することができる。また、本発明では、意図的に符号同期パターンを発生させないかぎり、信号のビット列に符号同期パターンが生じないので、符号同期の誤動作を防止できる。
【００２１】
本発明では、符号同期パターンを発生するために、符号同期符号セットを挿入するか、もしくは、特定の特殊符号Ｓを符号同期符号セットに置換するが、符号同期符号セットを符号１個分で実現することを可能とし、送信側の符号同期符号セットを挿入／置換する回路を簡易化できる。さらに、本発明では、（ｍ＋１）ｂ符号化処理によって、符号同期パターンをｍ＋２ビットにまで短縮することができる。即ち、任意の（ｍ＋１）ｂ符号の配列において、本来の符号同期パターン以外では、Ｋがｍ＋１個以上連続しないよう、（ｍ＋１）ｂ符号化処理を行う。これにより、受信側で符号同期を行う回路の規模を削減できる。
【００２２】
以下、具体例について説明する。
【００２３】
本発明は、８ｂ／１０ｂ符号化前に信号（９ｂ符号）に対して、符号同期を行うためのしくみを付与する。
【００２４】
９ｂ符号で符号同期を行う方法として、９ｂ符号のビット列中に決して現れないビット列パターンを、符号同期パターンとして、ビット列中に埋め込む。符号同期パターンとして、９ｂ符号のビット列中に決して現れないビット列パターンを用いるのは、１が一定個以上連続するパターンは、９ｂ符号のビット列中に決して現れないことに基づいている。
【００２５】
すなわち、図１６に示すように、データ符号の場合、制御ビットは０であるため、少なくとも９ビットに１個は０が入る。また、特殊符号の場合、制御ビットは１であるが、制御符号として定義されたパターンが限られ、特殊符号には少なくとも１個は０が入っているので、１が１７個以上連続することはない。
【００２６】
請求項１，７は、符号同期パターンとして、１（＝特殊符号を示す制御ビットの値）が連続するパターンを採用する。このパターンは、９ｂ符号のビット列中に現れ得る１が連続する最長パターンよりも長く１が連続し、かつ、パターン区切りを示す０を含む。
【００２７】
符号同期パターンを埋め込む方法及び装置として請求項２〜５，８〜１１があり、符号同期パターンを短くする方法及び装置として請求項６，１２がある。
【００２８】
請求項２，８は、図１７に示すように、ときどき（例えば周期的に）符号同期パターンを含む符号２個分のビット列を、挿入する。尚、挿入後は、挿入分だけビットレートを高くする必要がある。
【００２９】
請求項３，９は、図１８に示すように、請求項２，８と同様、パターンを挿入するが、挿入した箇所の前後の符号パターンと組み合わせて、符号同期パターンを構成する。すなわち、パターンＰ１をもつ符号とパターンＰ２を持つ符号の間に、１個分のビットを挿入する。このため、挿入するパターン長は、符号１個分でよい。尚、挿入後は、挿入分だけビットレートを高くする必要がある。
【００３０】
請求項４，１０は、図１９に示すように、特定の符号２個のパターンＰ３を、符号同期パターンを含む符号２個分のビット列に、置換する。すなわち、特定の値をもつ２個の符号が現れたとき、符号２個分のビットに置換する。
【００３１】
請求項５，１１は、図２０に示すように、請求項４，１０と同様に置換するが、請求項２，８と同様に置換した箇所の前後の符号パターンと組み合わせて、符号同期パターンを構成する。すなわち、パターンＰ１をもつ符号とパターンＰ２をもつ符号に挟まれた特殊符号Ｓが現れたとき、特殊符号Ｓを符号１個分のビットに置換する。このため、置換するパターン長は、符号１個分でよい。
【００３２】
請求項６，１２は、符号同期パターンを最小にする方法である。
【００３３】
符号同期パターンを短くする理由は、符号同期パターンが短いほど、符号同期回路が小規模になるからである。
【００３４】
符号同期パターンは次のようにして決まる。すなわち、符号同期パターンに含まれる１の連続数ｐは、９ｂ符号のビット列中に現れ得る１の最大連続数ｓより大きい必要がある。したがって、符号同期パターン長は、ｓ＋２（ｐ＞ｓ，ｑ＞０，ｓ＝ｐ＋ｑ）である。
【００３５】
図２１に示すように、もっとも単純な配列の９ｂ符号の配列例１では、ｓを決定するパターンの１の連続は最大１２個であり、ｓ＝１２である。
【００３６】
図２２に示すように、特殊符号の制御ビットの隣が必ず０となるよう配列した９ｂ符号の配列例２では、ｓを決定する１の連続は最大９個であり、ｓ＝９である。
【００３７】
図２３に示すように、制御ビットを符号の端ではなく、中に移動する９ｂ符号の配列例３では、ｓを決定するパターンの１の連続は最大８個であり、ｓ＝８であり、最小となる。
【００３８】
【発明の実施の形態】
以下図面を参照して本発明の実施形態例を詳細に説明する。
【００３９】
図１は本発明の実施形態例１（請求項１，７の例）を示す構成説明図である。すなわち、送信装置３１は符号通信ネットワーク３２を介して受信装置３３に接続される。前記送信装置３１は信号出力部３４、（ｍ＋１）ｂ符号化部３５、（ｍ＋１）ｂ符号→符号同期（ｍ＋１）ｂ符号変換部３６、送信部３７より構成される。前記受信装置３３は受信部３８、符号同期部３９、符号同期（ｍ＋１）ｂ符号→（ｍ＋１）ｂ符号変換部４０、（ｍ＋１）ｂ復号化部４１、信号入力部４２より構成される。前記信号出力部３４はｍビット長の情報ビットならびに１ビット長の制御ビットを連続して出力する。前記信号出力部３４から（ｍ＋１）ｂ符号化部３５に供給される信号（１）はｍビット長の情報ビット＋制御ビットである。制御ビット＝Ｋのとき、特殊符号であることを示し、制御ビット＝Ｋ￣のとき、データ符号であることを示す。特殊符号は少なくとも１個のＫ￣を含む（制御ビット＝Ｋのとき、ｍビット長の情報ビットは少なくとも１個のＫ￣を含む）。前記（ｍ＋１）ｂ符号化部３５はｍビット長の情報ビットと１ビット長の制御ビットから、（ｍ＋１）ｂ符号を生成する。前記（ｍ＋１）ｂ符号化部３５から（ｍ＋１）ｂ符号→符号同期（ｍ＋１）ｂ符号変換部３６に供給される信号（２）は（ｍ＋１）ｂ符号の符号列である。１個の特殊符号と、１個の特殊符号またはデータ符号とを組み合わせた、２ｍ＋２ビット長のビット列に含まれるＫが連続するビット列パターンのうち、最大のビット長がｓ（ｓは２ｍ＋２より小さい自然数）である。
【００４０】
前記（ｍ＋１）ｂ符号→符号同期（ｍ＋１）ｂ符号変換部３６は（ｍ＋１）ｂ符号列を、符号同期パターンを加えた、符号同期（ｍ＋１）ｂ符号列に変換する。前記（ｍ＋１）ｂ符号→符号同期（ｍ＋１）ｂ符号変換部３６から送信部３７に供給される信号（３）は符号同期（ｍ＋１）ｂ符号の符号列であり、符号同期パターンを含む（ｍ＋１）ｂ符号である。符号同期パターンはｐ個（ｐはｓより大きく、かつ、２ｍ＋２以下の自然数）の連続するＫと、ｑ個（ｑは自然数、ｐ＋ｑ≦２ｍ＋２）のＫ￣から構成される。前記送信部３７は符号同期（ｍ＋１）ｂ符号列を符号通信ネットワーク３２を介して伝送するための信号形式に変換し、受信装置３３に向けて送信する。前記送信部３７から送信された送信信号（４）は符号通信ネットワーク３２を介して受信信号（５）として受信部３８で受信される。前記受信部３８は符号通信ネットワーク３２を介して伝送された受信信号（５）を受信し、符号同期（ｍ＋１）ｂ符号のビット列に変換する。前記受信部３８から符号同期部３９に供給される信号（６）は符号同期（ｍ＋１）ｂ符号のビット列である。前記符号同期部３９は符号同期（ｍ＋１）ｂ符号のビット列から符号同期パターンを検出し、符号同期を行う（ビット列を符号ごとに区切られた符号列に変換する）。前記符号同期部３９から符号同期（ｍ＋１）ｂ符号→（ｍ＋１）ｂ符号変換部４０に供給される信号（７）は符号同期（ｍ＋１）ｂ符号の符号列である。前記符号同期（ｍ＋１）ｂ符号→（ｍ＋１）ｂ符号変換部４０は符号同期パターンを含む符号同期（ｍ＋１）ｂ符号列を、符号同期パターンを含まない（ｍ＋１）ｂ符号列に変換する。前記符号同期（ｍ＋１）ｂ符号→（ｍ＋１）ｂ符号変換部４０から（ｍ＋１）ｂ復号化部４１に供給される信号（８）は（ｍ＋１）ｂ符号の符号列である。前記（ｍ＋１）ｂ復号化部４１は（ｍ＋１）ｂ符号をｍビット長の情報ビットと１ビット長の制御ビットに戻す。前記（ｍ＋１）ｂ復号化部４１から信号入力部４２に供給される信号（９）はｍビット長の情報ビット＋制御ビットである。前記信号入力部４２はｍビット長の情報ビットと１ビット長の制御ビットを連続して入力する。
【００４１】
図２は本発明の実施形態例２（請求項２，８の例）に係る（ｍ＋１）ｂ符号→符号同期（ｍ＋１）ｂ符号変換部を示す構成説明図である。すなわち、クロック発生源（周波数＞信号（２）に同期したクロック）５１は符号同期符号セットを挿入したのちの符号列に同期するクロックを発生する。挿入可能とするため、挿入前のデータに同期したクロックの周波数よりも高い。前記クロック発生源５１の発生クロックはＦＩＦＯ（Ｆｉｒｓｔ−Ｉｎ  Ｆｉｒｓｔ−Ｏｕｔ）５２の出力クロックおよび符号同期符号セット挿入部５４の入力クロックとして供給される。前記ＦＩＦＯ５２には、入力データとして信号（２）の（ｍ＋１）ｂ符号の符号列が入力され、入力クロックとして信号（２）に同期したクロックが入力される。前記ＦＩＦＯ５２は、入力データを蓄積し、出力クロックに同期して、蓄積された順に出力データとして符号同期符号セット挿入部５４の入力データに出力する。出力クロック周波数は、入力クロック周波数より高いため、ＦＩＦＯ５２の蓄積量は減少する。蓄積量判定部５３は、その蓄積量を判定し、蓄積量＜Ｓｍｉｎとなったとき、ＦＩＦＯ５２の符号２個分を出力する期間、ＦＩＦＯ５２からのデータ出力を停止させ、蓄積量を回復させる。前記符号同期符号セット挿入部５４は、蓄積量判定部５３がＦＩＦＯ５２に符号２個分の出力を停止させている期間（符号同期符号セット挿入タイミング）、符号同期符号セットを押入する。前記符号同期符号セット挿入部５４の出力データとして信号（３）の符号同期（ｍ＋１）ｂ符号の符号列が出力される。
【００４２】
図３は本発明の実施形態例２（請求項２，８の例）に係る符号同期（ｍ＋１）ｂ符号→（ｍ＋１）ｂ符号変換部を示す構成説明図である。すなわち、符号同期符号セット検出部６４には、入力データとして信号（７）の符号同期（ｍ＋１）ｂ符号の符号列が入力され、入力クロックとして信号（７）に同期したクロックが入力される。前記符号同期符号セット検出部６４は、入力データから符号同期符号セットを検出し、検出した符号同期符号セットをＦＩＦＯ６２が蓄積しないように、符号同期符号セット検出信号をＦＩＦＯ６２の入力停止タイミングとして出力する。前記ＦＩＦＯ６２は、入力データのうち符号同期符号セット以外のデータを蓄積し、出力クロックに同期して、蓄積された順に出力データとして出力する。蓄積判定部６３は、ＦＩＦＯ６２の蓄積量を判定し、蓄積量＜Ｓｍｉｎとなったとき、出力クロックの周波数を低下させ、蓄積量＞Ｓｍａｘとなったとき、出力クロックの周波数を増加させる。可変クロック発生源（周波数≒信号（２）に同期したクロック）６１は、符号同期符号セットを削除した符号列に同期するクロックを発生する。削除前のデータに同期したクロックの周波数よりも低く、ＦＩＦＯ６２の蓄積量に応じて、発生する周波数を微調整し、ＦＩＦＯ６２のオーバフローやアンダーフローを防ぐ。ＦＩＦＯ６２の出力データとして信号（８）の（ｍ＋１）ｂ符号の符号列が出力される。
【００４３】
図４は本発明の実施形態例３（請求項３，９の例）に係る（ｍ＋１）ｂ符号→符号同期（ｍ＋１）ｂ符号変換部を示す構成説明図である。すなわち、クロック発生源（周波数＞信号（２）に同期したクロック）７１は符号同期符号を挿入したのちの符号列に同期するクロックを発生する。挿入可能とするため、挿入前のデータに同期したクロックの周波数よりも高い。前記クロック発生源５１の発生クロックはＦＩＦＯ７２の出力クロックおよび符号同期符号挿入部７４の入力クロックとして供給される。前記ＦＩＦＯ７２には、入力データとして信号（２）の（ｍ＋１）ｂ符号の符号列が入力され、入力クロックとして信号（２）に同期したクロックが入力される。前記ＦＩＦＯ７２は、入力データを蓄積し、出力クロックに同期して、蓄積された順に出力データとして符号同期符号挿入部７４の入力データに出力する。出力クロック周波数は、入力クロック周波数より高いため、ＦＩＦＯ７２の蓄積量は減少する。蓄積量判定部７３は、その蓄積量を判定し、蓄積量＜Ｓｍｉｎとなっている期間、符号同期符号挿入イネーブルを出力し、符号同期符号挿入部７４が、符号同期符号挿入イネーブルを受けて符号同期符号を挿入することによって、蓄積量を回復させる。前記符号同期符号挿入部７４は、蓄積量判定部７３が出力する符号同期符号挿入イネーブルを示す期間中、入力データから、最後からｐ１個のビット列パターンがＰ１である符号Ｃｉ、先頭からｐ２個のビット列パターンがＰ２である符号Ｃｉ＋１を検出したとき、符号１個分の期間、ＦＩＦＯ７２に出力を停止させ、入力を停止し、代わりに符号Ｃｉと符号Ｃｉ＋１との間に符号同期符号を押入する。前記符号同期符号挿入部７４の出力データとして信号（３）の符号同期（ｍ＋１）ｂ符号の符号列が出力される。
【００４４】
図５は本発明の実施形態例３（請求項３，９の例）に係る符号同期（ｍ＋１）ｂ符号→（ｍ＋１）ｂ符号変換部を示す構成説明図である。すなわち、符号同期符号セット検出部８４には、入力データとして信号（７）の符号同期（ｍ＋１）ｂ符号の符号列が入力され、入力クロックとして信号（７）に同期したクロックが入力される。前記符号同期符号セット検出部８４は、入力データから符号同期符号を検出し、検出した符号同期符号をＦＩＦＯ８２が蓄積しないように、符号同期符号検出信号をＦＩＦＯ８２の入力停止タイミングとして出力する。前記ＦＩＦＯ８２は、入力データのうち符号同期符号以外のデータを蓄積し、出力クロックに同期して、蓄積された順に出力データとして出力する。蓄積判定部８３は、ＦＩＦＯ８２の蓄積量を判定し、蓄積量＜Ｓｍｉｎとなったとき、出力クロックの周波数を低下させ、蓄積量＞Ｓｍａｘとなったとき、出力クロックの周波数を増加させる。可変クロック発生源（周波数≒信号（２）に同期したクロック）８１は、符号同期符号を削除した符号列に同期するクロックを発生する。削除前のデータに同期したクロックの周波数よりも低く、ＦＩＦＯ８２の蓄積量に応じて、発生する周波数を微調整し、ＦＩＦＯ８２のオーバフローやアンダーフローを防ぐ。ＦＩＦＯ８２の出力データとして信号（８）の（ｍ＋１）ｂ符号の符号列が出力される。
【００４５】
図６は本発明の実施形態例４（請求項４，１０の例）に係る（ｍ＋１）ｂ符号→符号同期（ｍ＋１）ｂ符号変換部を示す構成説明図である。すなわち、符号同期符号セット置換部９１には、入力データとして信号（２）の（ｍ＋１）ｂ符号の符号列が入力され、入力クロックとして信号（２）に同期したクロックが入力される。前記符号同期符号セット置換部９１は、入力データから２個連続する符号が、固定ビット列パターンＰ３に一致するとき、符号同期パターンを含む符号同期符号セットに置換する。前記符号同期符号セット置換部９１の出力データとして信号（３）の符号同期（ｍ＋１）ｂ符号の符号列が出力される。
【００４６】
図７は本発明の実施形態例４（請求項４，１０の例）に係る符号同期（ｍ＋１）ｂ符号→（ｍ＋１）ｂ符号変換部を示す構成説明図である。すなわち、符号同期符号セット置換部９２には、入力データとして信号（７）の符号同期（ｍ＋１）ｂ符号の符号列が入力され、入力クロックとして信号（７）に同期したクロックが入力される。前記符号同期符号セット置換部９２は、入力データから２個連続する符号が、符号同期符号セットに一致するとき、この２個の符号を固定ビット列パターンＰ３に置換する。前記符号同期符号セット置換部９２の出力データとして信号（８）の（ｍ＋１）ｂ符号の符号列が出力される。
【００４７】
図８は本発明の実施形態例５（請求項５，１１の例）に係る（ｍ＋１）ｂ符号→符号同期（ｍ＋１）ｂ符号変換部を示す構成説明図である。すなわち、符号同期符号置換部９３には、入力データとして信号（２）の（ｍ＋１）ｂ符号の符号列が入力され、入力クロックとして信号（２）に同期したクロックが入力される。前記符号同期符号セット置換部９１は、入力データから、最後からｐ１個のビット列パターンがＰ１であるＣｉ、固定ビット列パターンＰ４の特殊符号Ｓである符号Ｃｉ＋１、先頭からｐ２個のビット列パターンがＰ２である符号Ｃｉ＋２を検出したとき、符号Ｃｉ＋１を符号同期符号に置換する。前記符号同期符号置換部９３の出力データとして信号（３）の符号同期（ｍ＋１）ｂ符号の符号列が出力される。
【００４８】
図９は本発明の実施形態例５（請求項５，１１の例）に係る符号同期（ｍ＋１）ｂ符号→（ｍ＋１）ｂ符号変換部を示す構成説明図である。すなわち、符号同期符号置換部９４には、入力データとして信号（７）の符号同期（ｍ＋１）ｂ符号の符号列が入力され、入力クロックとして信号（７）に同期したクロックが入力される。前記符号同期符号置換部９４は、入力データから符号同期符号を検出したとき、符号同期符号を固定ビット列パターンＰ４に置換する。前記符号同期符号置換部９４の出力データとして信号（８）の（ｍ＋１）ｂ符号の符号列が出力される。
【００４９】
図１０は本発明の実施形態例６（請求項１，５，６，７，１１，１２の例）を示す構成説明図である。すなわち、送受信装置のギガビットイーサネット（ＧｂＥ）信号出力部１０１にはギガビットイーサネット信号（１０ｂ符号ビット列）が入力され、ギガビットイーサネット信号出力部１０１から９ｂ符号符号化部１０２に信号（１）が供給される。信号（１）は８ビット長の情報ビット＋制御ビットであり、制御ビット＝１のとき、特殊符号であることを示し、制御ビット＝０のとき、データ符号であることを示す。特殊符号は少なくとも１個の０を含む（制御ビット＝１のとき、８ビット長の情報ビットは少なくとも１個の０を含む）。前記９ｂ符号符号化部１０２は信号（１）から信号（２）を生成し、９ｂ符号符号化部１０２から９ｂ符号→符号同期９ｂ符号変換部１０３に信号（２）が供給される。信号（２）は９ｂ符号の符号列である。９ｂ符号化によって、１個の特殊符号と、１個の特殊符号またはデータ符号とを組み合わせた、１８ビット長のビット列に含まれる１が連続するビット列パターンのうち、最大のビット長が８となっている。９ｂ符号→符号同期９ｂ符号変換部１０３は信号（２）を信号（３）に変換し、９ｂ符号→符号同期９ｂ符号変換部１０３からＳＤＨ信号送信部１０４に信号（３）が供給される。信号（３）は符号同期９ｂ符号の符号列であり、符号同期パターンを含む９ｂ符号である。符号同期パターンは９個の連続する１と、１個の０から構成される（符号同期パターン＝０１１１１１１１１１）。前記ＳＤＨ信号送信部１０４は符号同期９ｂ符号の符号列を送信信号（２．４８８３２ＧｂｐｓのＳＤＨ信号）（４）に変換してＷＡＮ（ＳＤＨネットワーク）に送出する。
【００５０】
送受信装置のＳＤＨ受信部１０６には受信信号（２．４８８３２ＧｂｐｓのＳＤＨ信号）（５）が受信され、受信信号（５）を信号（６）の符号同期９ｂ符号のビット列に変換して符号同期部１０７に供給する。符号同期部１０７は信号（６）を信号（７）の符号同期９ｂ符号の符号列に変換して符号同期９ｂ符号→９ｂ符号変換部１０８に供給する。符号同期９ｂ符号→９ｂ符号変換部１０８は信号（７）を信号（８）の９ｂ符号の符号列に変換して９ｂ符号復号化部１０９に供給する。９ｂ符号復号化部１０９では信号（８）を信号（９）の９ビット長の情報ビット＋制御ビットに変換してギガビットイーサネット信号入力部１１０に供給し、ギガビットイーサネット信号入力部１１０は信号（９）をギガビットイーサネット信号（１０ｂ符号ビット列）に変換する。
【００５１】
図１１は本発明の実施形態例６（請求項６，１２の例）に係る９ｂ符号符号化部を示す回路図である。すなわち、信号（１）の８ビット長の情報ビットＡ〜Ｈ＋制御ビットＺが９ｂ符号符号化部１０２に入力され、９ｂ符号符号化部１０２の出力には信号（２）の９ｂ符号の符号列が抽出される。すなわち、９ｂ符号符号化部１０２において、情報ビットＥがインバータ１２０で反転されてＥ￣となり、Ｅ￣の隣りに制御ビットＺが挿入される。
【００５２】
図１２は本発明の実施形態例６（請求項６，１２の例）に係る９ｂ符号復号化部を示す回路図である。すなわち、信号（８）の９ｂ符号の符号列が９ｂ符号復号化部１０９に入力され、９ｂ符号復号化部１０９の出力には信号（９）の８ビット長の情報ビットＡ〜Ｈ＋制御ビットＺが抽出される。すなわち、９ｂ符号復号化部１０９において、反転符号のＥ￣がインバータ１３０で反転されて情報ビットＥとなり、制御ビットＺが取り出されて、８ビット長の情報ビットＡ〜Ｈ＋制御ビットＺが抽出される。
【００５３】
図１３は本発明の実施形態例６（請求項５，１１の例）に係る９ｂ符号→符号同期９ｂ符号変換部を示す説明図である。すなわち、信号（２）の９ｂ符号列が９ｂ符号→符号同期９ｂ符号変換部１０３に入力され、９ｂ符号→符号同期９ｂ符号変換部１０３の出力には信号（３）の符号同期９ｂ符号列が抽出される。
【００５４】
図１４は本発明の実施形態例６（請求項５，１１の例）に係る符号同期９ｂ符号→９ｂ符号変換部を示す説明図である。すなわち、信号（７）の符号同期９ｂ符号列が符号同期９ｂ符号→９ｂ符号変換部１０８に入力され、符号同期９ｂ符号→９ｂ符号変換部１０８の出力には信号（８）の９ｂ符号列が抽出される。
【００５５】
図１５は本発明の実施形態例６（請求項１，７の例）に係る符号同期部を示す回路図及び説明図である。すなわち、信号（６）の符号同期９ｂ符号のビット列が符号同期パターン検出部１４１と、シリアル→９ｂ並列信号変換部１４２に入力され、前記符号同期パターン検出部１４１から前記シリアル→９ｂ並列信号変換部１４２に並列化開始タイミング信号が入力され、前記シリアル→９ｂ並列信号変換部１４２の出力には信号（７）の符号同期９ｂ符号列が抽出される。
【００５６】
［９ｂ符号符号化部と９ｂ符号復号化部の他の例］
９ｂ符号符号化部と９ｂ符号復号化部について、前記実施形態例では、９ｂ符号が先頭ビットから順にＨＧＦＥＺＤＣＢＡとなるよう、９ｂ符号符号化部と９ｂ符号復号化部を構成していたが、これをＤＧＦＥＺＨＣＢＡに変更する。また、９ｂ符号→符号同期９ｂ符号変換部において、前記実施形態例がｐ１＝（Ｐ１＝０）であったところを、ｐ１＝０に変更する（すべてのＫ２８．５を符号同期符号に置換する）。ギガビットイーサネット信号を通信する場合に、特殊符号Ｋ２８．５の次の符号がＤ２１．５，Ｄ２．２，Ｄ５．６，Ｄ１６．２のうちの何れかに限られるため、９ｂ符号符号化部と９ｂ符号復号化部の変更によって、次の符号の先頭ビットが必ず０となることが保証される。９ｂ符号→符号同期９ｂ符号変換部は、特殊符号Ｋ２８．５の次の符号の先頭ビットが０であることを確認する必要がなくなり、回路が簡易化できる。
【００５７】
［符号同期部の他の例］
前記実施形態例では、１回の符号同期パターン検出によって、並列化するタイミングを変更する動作を示したが、符号誤りによって発生した擬似符号同期パターンによって誤動作を防ぐため、符号同期動作に保護機構を設ける。たとえば、これまでの符号境界とは異なる符号境界を示す符号同期パターンを、一定期間内に２回以上検出した場合にのみ、並列化するタイミングを変更する。この変更により、符号誤りが誤った符号同期を行う確率を小さくすることが可能である。
【００５８】
［ＳＤＨ信号送信部とＳＤＨ信号受信部の他の例］
前記実施形態例では、２本のギガビットイーサネット信号を１本の２．４８８３２ＧｂｐｓのＳＤＨ信号に変換して通信するが、９．９５３２８ＧｂｐｓのＳＤＨ信号に変換する場合も、同様に実施することが可能である。従来の技術によって最大７本のギガビットイーサネット信号を１本の９．９５３２８ＧｂｐｓのＳＤＨ信号に多重化することが可能であった。これに対し、本発明の適用によって、８本のギガビットイーサネット信号の多重化が可能となり、情報伝送効率が向上する。また、ＳＤＨ信号に変換する場合に限定されず、例えば、１０ギガビットイーサネット信号に変換する場合に、本発明を適用することも可能である。従来の技術では最大７本のギガビットイーサネット信号を１本の１０ギガビットイーサネット信号に多重化することが可能であるが、本発明の適用により、８本のギガビットイーサネット信号を多重化することが可能となる。
【００５９】
【発明の効果】
以上述べたように本発明によれば、各符号がｎビット長のｍｂ／ｎｂ符号列をそのままビット列として通信するのではなく、各符号がｍ＋１ビット長（ｎ＞ｍ＋１）の（ｍ＋１）ｂ符号に変換した後に通信するため、必要とされる伝送帯域を低減する。これにより、ギガビットイーサネット信号を２．４８８３２ＧｂｐｓのＳＤＨ信号に変換しＳＤＨネットワークを介して通信するとき、従来の技術を適用した場合は、ギガビットイーサネット信号を多重化することができずＳＤＨネットワークで使用可能な帯域のうち１．１４６１６Ｇｂｐｓが無駄になっていたが、本発明を適用することによって、２本のギガビットイーサネット信号を多重化して通信することが可能となり、情報伝送効率が飛躍的に向上する。また、本発明では、特殊符号の伝送と符号同期が可能であるため、従来の技術を適用した場合と等価な通信が可能である。さらに、本発明の（ｍ＋１）ｂ符号は、ｍｂ／ｎｂ符号化する前の信号である、ｍビット長の情報ビットと１ビット長の制御ビットから構成されるため、受信側で（ｍ＋１）ｂ符号から、ｍｂ／ｎｂ符号を容易に再生することができる。本発明では、送信側に、符号同期パターンを発生するために必要な、符号同期符号セットの挿入もしくは特殊符号からの置換を行う回路を必要としているが、符号同期符号セットを符号１個分で実現するため、これを簡易化できる。また、受信側に、符号同期パターンの検出を行う回路を必要としているが、（ｍ＋１）ｂ符号化回路によって、符号同期パターンをｍ＋２ビットにまで短縮することができるため、その回路規模を削減できる。このように、本発明は、ギガビットイーサネット信号のようにｍｂ／ｎｂ符号化された信号を、ＳＤＨネットワークのようにｍｂ／ｎｂ符号列をシリアルで伝送する方式とは異なる伝送形式を用いたネットワークを介して、効率的に通信するための、符号通信方式を提供する優れた効果を有する。
【図面の簡単な説明】
【図１】本発明の実施形態例１（請求項１，７の例）を示す構成説明図である。
【図２】本発明の実施形態例２（請求項２，８の例）に係る（ｍ＋１）ｂ符号→符号同期（ｍ＋１）ｂ符号変換部を示す構成説明図である。
【図３】本発明の実施形態例２（請求項２，８の例）に係る符号同期（ｍ＋１）ｂ符号→（ｍ＋１）ｂ符号変換部を示す構成説明図である。
【図４】本発明の実施形態例３（請求項３，９の例）に係る（ｍ＋１）ｂ符号→符号同期（ｍ＋１）ｂ符号変換部を示す構成説明図である。
【図５】本発明の実施形態例３（請求項３，９の例）に係る符号同期（ｍ＋１）ｂ符号→（ｍ＋１）ｂ符号変換部を示す構成説明図である。
【図６】本発明の実施形態例４（請求項４，１０の例）に係る（ｍ＋１）ｂ符号→符号同期（ｍ＋１）ｂ符号変換部を示す構成説明図である。
【図７】本発明の実施形態例４（請求項４，１０の例）に係る符号同期（ｍ＋１）ｂ符号→（ｍ＋１）ｂ符号変換部を示す構成説明図である。
【図８】本発明の実施形態例５（請求項５，１１の例）に係る（ｍ＋１）ｂ符号→符号同期（ｍ＋１）ｂ符号変換部を示す構成説明図である。
【図９】本発明の実施形態例５（請求項５，１１の例）に係る符号同期（ｍ＋１）ｂ符号→（ｍ＋１）ｂ符号変換部を示す構成説明図である。
【図１０】本発明の実施形態例６（請求項１，５，６，７，１１，１２の例）を示す構成説明図である。
【図１１】本発明の実施形態例６（請求項６，１２の例）に係る９ｂ符号符号化部を示す回路図である。
【図１２】本発明の実施形態例６（請求項６，１２の例）に係る９ｂ符号復号化部を示す回路図である。
【図１３】本発明の実施形態例６（請求項５，１１の例）に係る９ｂ符号→符号同期９ｂ符号変換部を示す説明図である。
【図１４】本発明の実施形態例６（請求項５，１１の例）に係る符号同期９ｂ符号→９ｂ符号変換部を示す説明図である。
【図１５】本発明の実施形態例６（請求項１，７の例）に係る符号同期部を示す回路図及び説明図である。
【図１６】本発明に係る９ｂ符号で符号同期を行う方法を示す説明図である。
【図１７】本発明に係る符号同期パターンを埋め込む方法の第１の例を示す説明図である。
【図１８】本発明に係る符号同期パターンを埋め込む方法の第２の例を示す説明図である。
【図１９】本発明に係る符号同期パターンを埋め込む方法の第３の例を示す説明図である。
【図２０】本発明に係る符号同期パターンを埋め込む方法の第４の例を示す説明図である。
【図２１】本発明に係る符号同期パターンを短くする方法を示す説明図である。
【図２２】本発明に係る符号同期パターンを短くする方法を示す説明図である。
【図２３】本発明に係る符号同期パターンを短くする方法を示す説明図である。
【図２４】従来の符号同期方式を示す構成説明図である。
【図２５】従来の符号同期方式の改良案を示す構成説明図である。
【符号の説明】
３１  送信装置
３２  符号通信ネットワーク
３３  受信装置
３４  信号出力部
３５  （ｍ＋１）ｂ符号化部
３６  （ｍ＋１）ｂ符号→符号同期（ｍ＋１）ｂ符号変換部
３７  送信部
３８  受信部
３９  符号同期部
４０  符号同期（ｍ＋１）ｂ符号→（ｍ＋１）ｂ符号変換部
４１  （ｍ＋１）ｂ復号化部
４２  信号入力部
【図１】
0003597136.tif 000002
【図２】
0003597136.tif 000003
【図３】
0003597136.tif 000004
【図４】
0003597136.tif 000005
【図５】
0003597136.tif 000006
【図６】
0003597136.tif 000007
【図７】
0003597136.tif 000008
【図８】
0003597136.tif 000009
【図９】
0003597136.tif 000010
【図１０】
0003597136.tif 000011
【図１１】
0003597136.tif 000012
【図１２】
0003597136.tif 000013
【図１３】
0003597136.tif 000014
【図１４】
0003597136.tif 000015
【図１５】
0003597136.tif 000016
【図１６】
0003597136.tif 000017
【図１７】
0003597136.tif 000018
【図１８】
0003597136.tif 000019
【図１９】
0003597136.tif 000020
【図２０】
0003597136.tif 000021
【図２１】
0003597136.tif 000022
【図２２】
0003597136.tif 000023
【図２３】
0003597136.tif 000024
【図２４】
0003597136.tif 000025
【図２５】
0003597136.tif 000026